(57)【特許請求の範囲】
【請求項１】
一群の物品を収納するべくカップ状に形成され、かつ開放端（４）を有する容器（２）と、
ヒンジ（６）に沿った前記容器（２）にヒンジ付けされ、容器（２）に対して、前記開放端（４）を開く開放位置と閉じる閉鎖位置、夫々の間で回転するカップ状の蓋（５）と、
容器（２）の内側に接続されて開放端（４）の外側に部分的に突き出し、前記蓋（５）が前記閉鎖位置にある時、蓋（５）の対応する内面に係合するカラー（１５）と、
閉鎖位置で蓋（５）を維持するため、蓋（５）の第１の壁（１２）又は前記カラー（１５）の第２の壁（１６）に形成された保持座部（２０）と、カラー（１５）の前記第２の壁（１６）又は蓋（５）の前記第１の壁（１２）から突き出し、蓋（５）が閉鎖位置にある時に前記保持座部（２０）の内側で適合する保持部材（２１）とを有する保持装置（１９）とを有する物品用パッケージ（１）において、
ａ）前記保持部材（２１）は蓋（５）の第１の壁（１２）の一部分によって形成され、その部分は前記カラー（１５）の前記第２の壁（１６）に糊付けされると共に蓋（５）の第１の壁（１２）の残りの部分から分離していること、或いは、前記保持部材（２１）はカラー（１５）の第２の壁（１６）の一部分によって形成され、その部分は前記蓋（５）の前記第１の壁（１２）に糊付けされると共にカラー（１５）の第２の壁（１６）の残りの部分から分離しており、
ｂ）前記蓋（５）の第１の壁（１２）は、重なり合って互いに糊付けされた内パネル（１２”）と外パネル（１２’）によって形成され、
ｃ）前記保持座部（２０）は、蓋（５）の第１の壁（１２）の前記パネル（１２’、１２”）の双方を通る穴によって形成され、
ｄ）前記保持部材（２１）は、蓋（５）の第１の壁（１２）の糊付けされた両パネル（１２’、１２”）の夫々の相互に糊付けされた部分（２１’、２１”）によって形成される、ことを特徴とするパッケージ。
【請求項２】
前記蓋（５）が開封される時、前記保持部材（２１）は、前記蓋（５）の第１の壁（１２）から引き離されるか、或いは前記カラー（１５）の第２の壁（１６）から引き離される請求項１に記載のパッケージ。
【請求項３】
前記蓋（５）が開封されるまで、前記保持部材（２１）は、切り取りライン（２２）に沿って、蓋（５）の第１の壁（１２）の前記残りの部分に接続されるか、又は前記カラー（１５）の前記第２の壁（１６）の残りの部分に接続される請求項２に記載のパッケージ。
【請求項４】
前記保持部材（２１）は、前記カラー（１５）の第２の壁（１６）又は前記蓋（５）の第１の壁（１２）に糊付けされた第１の部分と、カラー（１５）の第２の壁（１６）又は蓋（５）の第１の壁（１２）に糊付けされない残りの第２の部分とを有するように、カラー（１５）の第２の壁（１６）又は前記蓋（５）の第１の壁（１２）に対し部分的に糊付けされただけである請求項１〜３のいずれか一項に記載のパッケージ。
【請求項５】
前記カラー（１５）の第２の壁（１６）又は蓋（５）の第１の壁（１２）に糊付けされた保持部材（２１）の第１の部分は上部に位置し、カラー（１５）の第２の壁（１６）又は蓋（５）の第１の壁（１２）に糊付けされない保持部材（２１）の第２の部分は下部に位置する請求項４に記載のパッケージ。
【請求項６】
前記保持部材（２１）の内側の部分（２１”）は、保持部材（２１）の外側の部分（２１’）より大きい請求項１に記載のパッケージ。
【請求項７】
前記蓋（５）の第１の壁（１２）は蓋（５）の前壁（１２）であり、前記カラー（１５）の第２の壁（１６）はカラー（１５）の前壁（１６）である請求項１〜６のいずれか一項に記載のパッケージ。
【請求項８】
前記カラー（１５）は、前記前壁（１６）から延びて前記保持装置（１９）の保持部材（２１）を支持する中央付加部（２８）を有する請求項１〜７のいずれか一項に記載のパッケージ。
【請求項９】
前記保持部材（２１）と前記保持座部（２０）は円形である請求項１〜８のいずれか一項に記載のパッケージ。
【発明の詳細な説明】
【技術分野】
【０００１】
本発明は、物品用パッケージに関するものであり、特に煙草のためのヒンジ式蓋付きパッケージに関する。
【０００２】
以下の説明においては、便宜上かつ一例として純粋に、煙草のヒンジ式蓋付きパッケージを参照する。
【背景技術】
【０００３】
硬質なヒンジ式蓋付き煙草小包体が、生産が容易であり、使用が実際的で容易であることによって、かつ、内側の煙草を効果的に保護することによって、現在では最も広く販売されている。
【０００４】
硬質なヒンジ式蓋付き煙草小包体は、開放末端を有するカップ形の容器と、この開放末端を開く開放位置とこの開放末端を閉じる閉鎖位置の間でその容器に対して回転するように、ヒンジに沿ってその容器にヒンジ式に取り付けられているカップ形の蓋とを備える。 通常、容器の内側にはＵ型に折り畳まれたカラーが接続され、蓋を閉じた状態では、カラーは部分的に開放末端の外側へと突き出して、蓋の対応する内面に係合する。
【０００５】
閉鎖位置で蓋を保持し、それが偶然に開くのを防ぐために、保持装置が設けられ、カラーと蓋の間（或いは、カラーがない場合には容器と蓋の間）に追加の機械的相互関係を生じるように設計されるため、蓋を開けるためには局所的な弾性変形を生じるのに十分な力を付与しなければならなくなる。
【０００６】
最も一般に用いられている保持装置は、カラーから横に突き出て閉じられた蓋と所定の干渉量で係合する２つの突起を有する。その突起は効果的に簡単に作ることができるが、閉じた蓋の側壁を局部的に変形させ、往々にして蓋の側壁に見苦しいシワを形成したりして側壁の平坦度に影響を与えることで小包体全体の外観を損なう欠点がある。突起が大きければそれだけ突起による保持力も大きくなり、この蓋の側壁の変形もより顕著になる。
【０００７】
これらの欠点を排除するために、例えば特特許文献１〜３において、数多くの代替案が提案されているが、そのいずれもが効果のないものであったり（即ち、十分な保持力が生じない）、或いは製造が複雑で高価であることが分かっている。
【０００８】
特許文献４には、閉鎖位置で蓋を保持するための保持装置を備えた硬質のヒンジ式蓋付き煙草小包体であって、カラーの上端縁部から突き出したタブを備えると共に、蓋が閉鎖位置にある時、そのタブが蓋のフラップの端縁部によって係合されるような、煙草小包体が記載されている。
【先行技術文献】
【特許文献】
【０００９】
【特許文献１】米国特許第４２９４３９９号
【特許文献２】米国特許第５８９６９８４号
【特許文献３】国際公開公報第２００４／０２８９２６号
【特許文献４】欧州特許出願第０８８４２４号
【発明の概要】
【発明が解決しようとする課題】
【００１０】
本発明の目的は、上記の欠点をなくするように設計されると共に、特に製造が安価でかつ容易な物品パッケージを提供することにある。
【課題を解決するための手段】
【００１１】
本発明によれば、添付した請求項で請求された物品パッケージが提供される。
【００１２】
以下、本発明の数多くの制限されない実施形態を例により説明する。
【図面の簡単な説明】
【００１３】
【図１】本発明による、閉鎖位置での煙草の硬質小包体の斜め正面図である。
【図２】閉鎖位置での図１の煙草小包体の斜め後方図である。
【図３】開放位置での図１の煙草小包体の斜め正面図である。
【図４】図１の煙草小包体の、閉鎖位置及び開放位置での部分的縦断面図である。
【図５】図１の煙草小包体の、閉鎖位置及び開放位置での部分的縦断面図である。
【図６】図１の煙草小包体の容器を作るための白紙の平面図である。
【図７】図１の煙草小包体のカラーの展開平面図である。
【図８】別実施形態による煙草小包体の、閉鎖位置及び開放位置での部分的縦断面図である。
【図９】別実施形態による煙草小包体の、閉鎖位置及び開放位置での部分的縦断面図である。
【図１０】図８、９の煙草小包体の容器を作るための白紙の平面図である。
【図１１】図８、９の煙草小包体の変形例の開放位置での部分的縦断面図である。  正面図である。
【図１２】本発明による、閉鎖位置での煙草の更なる硬質小包体の斜め正面図である。
【図１３】閉鎖位置での図１２の煙草小包体の斜め後方図である。
【図１４】明瞭にするためその一部分を取り除いた、開放位置での図１２の煙草小包体の斜め正面図である。
【図１５】図１２の煙草小包体のカラーの展開平面図である。
【図１６】図１５のカラーの変形例を示す平面図である。
【発明を実施するための形態】
【００１４】
図１、２及び図３の符号１は、煙草の硬質小包体全体を示しており、同小包体は、硬質の厚紙からなるカップ状の容器２と、容器２内に収容されたインナパッケージ３（図３）とを有し、アルミ箔のシートでくるまれた平行六面体形状の一群の煙草（図示せず）を具備する。容器２は、開放頂端４（図３）と、ヒンジ６に沿い容器２にヒンジ付けされて容器２に対し開放頂端４を開放する開放位置（図３）と閉鎖する閉鎖位置（図１、２）との間を回動するカップ状の蓋６とを備える。
【００１５】
容器２は直方体の形をしており、開放頂端４の反対側にある底壁７と、互いに平行に向かい合う前壁８と後壁９と、壁８、９間に挟まれた２つの平行な側壁１０とを備える。４つの縦方向端縁が側壁１０と壁８、９の間に形成され、４つの横方向端縁が壁７と壁８、９、１０の間で形成される。
【００１６】
蓋５は、直方体の形をしており、蓋５を閉じた状態で容器２の底壁７に平行に向かい合う上壁１１と、互いに平行に対向し合いかつ蓋５が閉じた状態で容器２の壁８、９と同一面となる前壁１２と後壁１３と、前壁１２と後壁１３の間に挟まれかつ蓋５が閉じた状態で容器２の側壁１０と同一面となる２つの平行な側壁１４とを有する。４つの縦方向端縁が側壁１４と壁１２、１３の間に形成され、４つの横方向端縁が上壁１１と壁１２、１３、１４の間で形成される。
【００１７】
図示した実施形態では、各端縁は全て真っ直ぐであるが、この代わりとなる実施形態としては図示しないが、端縁によっては斜めでも、或いは丸まった状態でも良い。
【００１８】
図３に示すように、小包体１はまた硬質のカラー１５（即ち、硬い厚紙から作られる）を備えており、同カラーはＵの形に折り畳まれ、容器２の内側に接続（糊付け）されると共に開放頂端４の突き出し、閉止位置において蓋５の対応する内面に係合する。カラー１５は、容器２の前壁８に接続されかつ閉鎖位置において蓋５の前壁１２と接するように位置決めされる前壁１６と、容器２の側壁１０に接続されかつ閉鎖位置において蓋５の側壁１４と接するように位置決めされる２つの側壁１７とを有する。
【００１９】
図面に示された実施形態において、カラー１５の前壁１６は２つの突起１８を備え、それらは蓋５を閉じた状態に維持するために、閉鎖位置において蓋５の側壁１４と係合する。図示しない異なる実施形態では、カラー１５の前壁１６は突起１８を備えない。
【００２０】
図３、４及び図５に示したように、煙草の小包体１は、突起１８とは異なりそれとは無関係の保持装置１９を有し、同装置は、蓋５を開くにあたってはそれよりも大きくあらねばならないような保持力をもって蓋５を閉じた状態に維持する。
【００２１】
保持装置１９は、蓋５の前壁１２に形成された保持座部２０と、カラー１５の前壁１６から突き出しかつ蓋５が閉鎖位置にある時、保持座部２０の内側で適合する保持部材２１とを有する。図４は、保持部材２１が保持座部２０の内側に挿入された閉鎖位置での蓋５を示しており、保持座部２０から引き込ませるためには、保持装置１９によって生じた保持力に打ち勝つべく保持部材２１に軽い指圧をかけるか、蓋５に比較的強めの開放力をかけるかして保持部材を弾性変形しなければならない。
【００２２】
好ましい実施形態では、保持部材２１は蓋５の前壁１２の一部によって形成され、それはカラー１５の前壁１６に糊付けされ、蓋５の前壁１２の残りの部分からは分離される。
【００２３】
蓋５を開封する場合、保持部材２１は蓋５の前壁１２から引き離されることが好ましい。言い換えれば、蓋５が開封されるまで、保持部材２１は、切り取りライン２２（図６）に沿って蓋５の前壁１２の残りの部分に接続される。蓋５が開封された時には、保持部材２１はカラー１５の前壁１６に接続されたままとなって、切り取りライン２５２に沿った蓋５の前壁１２から引き裂かれる。従って、蓋５を開封するにはより大きな力が必要であり、それは蓋５が開かれていない（従って、煙草の小包体１に対して不正操作されていない）というユーザに対しての証しである。
【００２４】
図１〜図５の実施形態では、保持座部２０は蓋５の前壁１２による穴によって形成される。より具体的には、蓋５の前壁１２は内パネル１２”と、それに重なって互いに糊付けされた外パネル１２’によって形成され、保持座部２０は、蓋５の前壁１２の双方のパネル１２’、１２” を通る穴によって形成される。同様に、保持部材２１は、蓋５の前壁１２の両パネル１２’、１２”の相互に糊付けされた夫々の部分２１’、２１“によって形成される。好ましい実施形態では、保持部材２１の内側の部分２１”は外側の部分２１’より（面積が）大きい。
【００２５】
図８及び図９に示される別実施形態では、保持座部２０は、内パネル１２”だけを通る穴によって形成され、蓋５の前壁１２の外パネル１２に影響を与えない。それと同様に、保持部材２１は、蓋５の内パネル１２”の前壁１２の部分２１”だけによって形成される。図１〜図５の実施形態と比較して、図８と図９の実施形態には保持装置１９による保持力は小さいという欠点があるが、蓋５が閉鎖位置にある場合には保持装置１９は外部から隠されている（即ち、煙草の小包体１の外側から見ることができない）という利点がある。
【００２６】
図１１の実施形態では、保持部材２１（この場合、それは内側の部分２１”によってのみ形成される）は、カラー１５の壁１６に対し部分的に糊付けされ、即ち、カラー１５の前壁１６に糊付けされた第１の部分と、カラー１５の前壁１６に糊付けされない残りの第２の部分とを備える。好ましくは、保持部材２１の前記第１の部分はカラーの前壁１６に糊付けされて上に位置し、保持部材２１の前記第２の部分はカラーの前壁１６に糊付けされない状態で下に位置する。カラーの前壁１６に糊付けされない保持部材２１の第２の部分は、蓋５の開閉毎（即ち、保持部材２１が保持座部２１に対して着脱する度）に徐々に曲がり、その後、クリック音と共に所定の位置に跳ね戻る。換言すれば、蓋５の開閉には、明白に聞くことができるクリック音が伴い、それは蓋５の効果的な閉鎖を示すものとして消費者によって高く評価される。
【００２７】
図示されない異なった実施形態では、保持装置１９は、前壁１２、１６とは対照的に側壁１４、１７の一方に形成されるかもしれない。その場合には、２つの独立した保持装置１９が、煙草の小包体１の両側にある側壁１４、１７に設けられるかもしれない。
【００２８】
図面に示される実施形態では、保持部材２１と保持座部２０は円形であり、蓋５の前壁１２の中心に配置される（言うまでもなく、保持部材２１と保持座部２０は同じ形状、大きさでなければならない）。図示されない異なる実施形態では、保持部材２１と保持座部２０は、円形以外の形状でも良く（例えば、正方形、長方形、菱形、五角形、六角形等）、更に／或いは蓋５の前壁１２の中心から偏心して配置しても良い（これは保持装置１９の保持力を下げるが、その他の要因は全て等しい）。
【００２９】
図６に示すように、容器２と蓋５は、平らな実質上長方形のブランク２３から作られ、以下の説明において、ブランクの各部分は、可能であれば、容器２と蓋５の対応部分と同一の参照符号に上付き文字を付して示される。
【００３０】
ブランク２３は、２つの縦折り目２４と、複数の横折り目２１とを有しており、横折り目は、縦折り目２４同士の間に、容器２の前壁８を形成するパネル８’、容器２の底壁７を形成するパネル７’、容器２の後壁９を形成するパネル９’、蓋５の後壁１３を形成する（ヒンジ６によってパネル９’から分かれた）パネル１３、蓋５の上壁１１を形成するパネル１１、蓋５の前壁１２の一部を形成する外パネル１２’、及び蓋５の前壁１２の残りの部分を形成する内パネル１２”を夫々形成する。内パネル１２”は蓋５の前壁１２を強化するための補強フラップを成し、１８０度折り畳まれて外パネル１２に糊付けされる。
【００３１】
パネル８’は、パネル８’の対向側部に位置して縦折り目２４によってパネル８’から隔てられると共に容器２の横壁１０の各外側部分を成す２つの側方翼１０を備える。パネル９’は、パネル９’の対向側部に位置して縦折り目２４によってパネル９’から隔てられると共に容器２の内壁１０の各内側部分を成す２つの側方翼１０”を備える。各翼１０は横折り目２５に沿ってタブ２６に接続され、パネル７に糊付けされる。
【００３２】
パネル１２’は、パネル１２’の対向側部に位置して縦折り目２４によってパネル１２’から隔てられると共に蓋５の横壁１４の各外側部分を成す２つの側方翼１４’を備える。パネル１３’は、パネル１３’の対向側部に位置して縦折り目２４によってパネル１３’から隔てられると共に蓋５の側壁１４の各内側部分を成す２つの側方翼１４”を備える。各翼１４”は横折り目２５に沿ってタブ２７に接続され、パネル１１’に糊付けされる。
【００３３】
図１０は、図８と図９の実施形態において、容器２と蓋５を形成するブランク２３を示しており、蓋５の前壁１２のパネル１２’に部分２１’を持たないことで図６のブランク２３と異なるものである。
【００３４】
図７に示すように、カラー１５は保持装置１９の保持部材２１を支持するため前壁１６から延びた中央付加部２８を有する。言い換えれば、保持装置１９の保持部材２１はカラー１５の前壁１６から延びる付加部２８に糊付けされる。
【００３５】
図１〜図１１の実施形態では、保持座部２０は蓋５の前壁１２に形成され、保持部材２１はカラー１５の前壁１６から突き出し、蓋５が閉鎖位置にある時、保持座部２０の内側に適合する。図１２〜図１４の等価の実施形態では（特に、図１４参照）、保持座部２０は、（蓋５の前壁１２の代わりに）カラー１５の前壁１６に形成され、保持部材２１は（カラー１５の前壁１６の代わりに）蓋５の前壁１２から突き出し、蓋５が閉鎖位置にある時、保持座部２０の内側に適合する。言い換えれば、図１２〜図１４の等価な実施形態においては、蓋５の前壁１２とカラー１５の前壁１６にある保持装置１９の各構成部品は、単に機械的に逆転したものであり、つまり、保持座部２０は蓋５の前壁１２からカラー１５の壁１６へと変貌したものであり、保持部材２１はカラー１５の前壁１６から蓋５の壁１２へと変貌したものである。
【００３６】
図１５及び図１６は、図１２〜図１４の煙草小包体１を形成するために使用可能な２つのカラー１５の展開図である。明らかなように、この場合、保持部材２１は、蓋５の前壁１２の内側に糊付けされるカラー１５の前壁１６の一部分によって形成され、同保持部材は、蓋５を開封する際に切り取られる切り取りライン２２によってカラー１５の前壁１６の残りの部分から分かれている。
【００３７】
図１２〜図１４の実施形態においても、保持部材２１は蓋５の前壁１２に部分的に糊付けされただけの状態、即ち、同保持部材が蓋５の前壁１２に糊付けされた第１の部分と、蓋５の前壁１２に糊付けされない残りの第２の部分とを有するようにしても良い。
【００３８】
ここで説明した煙草の小包体１には、迅速かつ容易に製造されることにより、また保持装置１９によって生じた保持力により閉鎖位置に蓋５を保持することにより数多くの利点がある。蓋５が閉じられた時（図８と図９の実施形態）、保持装置１９は隠されて煙草の小包体１の外観に影響を与えないようにしたり、或いは蓋５が閉じられた時でさえ（図１〜図５の実施形態）、保持装置が見えるようにして煙草の小包体１に奇抜な外観を与えるようにしても良い。さらに、保持装置１９によって、蓋５を閉じた状態に保持するのに必要な力の一部分を生じさえすればよいことで、突起１８を無くしたり、ともかくも小さくなるようにしても良い。
【００３９】
数多くの利点を考慮し、記述した小包体１のデザインは又、葉巻きの小包体や１カートンの煙草（これは１群の煙草とは対照的に１群の煙草小包体を含んでいることを除けば、記述した煙草の小包体１と実質上同一である）といったようなその他のタイプの煙草物品のためのパッケージの生産に使用しても良い。
【図１】
0005960704.tif 000002
【図２】
0005960704.tif 000003
【図３】
0005960704.tif 000004
【図４】
0005960704.tif 000005
【図５】
0005960704.tif 000006
【図６】
0005960704.tif 000007
【図７】
0005960704.tif 000008
【図８】
0005960704.tif 000009
【図９】
0005960704.tif 000010
【図１０】
0005960704.tif 000011
【図１１】
0005960704.tif 000012
【図１２】
0005960704.tif 000013
【図１３】
0005960704.tif 000014
【図１４】
0005960704.tif 000015
【図１５】
0005960704.tif 000016
【図１６】
0005960704.tif 000017